(57)【要約】【課題】内型枠装置の型抜き及び型枠堰板表面の清掃や剥離剤の塗布作業を容易且つ迅速に成し得て、ケーソン構築作業の労力及び製作時数を削減することができ、しかも高い安全性を以てケーソンの施工を行うことが出来るケーソン用型枠の内型枠装置を提供する。【解決手段】外側面に側壁堰板２が架設された少なくとも二対の側壁型枠パネル４を互いに向き合わせて箱状に形成し、ケーソン１０の空洞１１の内壁５に取付けられる受金具６と、内型枠装置１の側壁型枠パネル４の下端に取付けられると共に、受金具６に回動可能に支承される係止金具１４とから成る係合治具を設け、側壁型枠パネル４を内方に傾動可能に設けたケーソン用型枠の内型枠装置１において、側壁型枠４を受金具６よりも下方で保持し、且つ足場となる支持ブラケット９を井桁状に配する。【選択図】  図３
2006241904.tif 000002
【特許請求の範囲】
【請求項１】
外側面に側壁堰板が架設された少なくとも二対の側壁型枠パネルを互いに向き合わせて箱状に形成され、ケーソンの空洞の内壁に取付けられる受金具と、ケーソン用型枠の内型枠装置の側壁型枠パネルの下端に取付けられると共に、前記受金具に回動可能に支承される係止金具とから成る係合治具を設け、前記側壁型枠パネルを内方に傾動可能に設けたケーソン用型枠の内型枠装置において、前記側壁型枠を前記受金具よりも下方で保持し、且つ足場となる支持ブラケットを井桁状に配したことを特徴とするケーソン用型枠の内型枠装置。
【請求項２】
支持ブラケットが縦横伸縮自在に設けられていることを特徴とする請求項１記載のケーソン用型枠の内型枠装置。
【発明の詳細な説明】
【技術分野】
【０００１】
本発明は、港湾工事、例えば岸壁・防波堤の施工に使用されるケーソン（鉄筋コンクリート製の潜函）を構築するために使用される型枠であって、特にその内型枠装置に関するものである。
【背景技術】
【０００２】
先に、図１及び図２に基づいて従来の工法を説明し、本発明の目的を明らかにする。港湾工事で使用されるケーソン１０は、縦５〜３０ｍ・横７〜３０ｍ・高さ７〜３０ｍ位で、その内部縦方向に複数の空洞１１を形成した大規模な鉄筋コンクリート製の構造体である。その製作工事は内型枠と外型枠との内部に鉄筋を配してコンクリートを打設する所謂型枠工法により、一定高さの型枠装置を反復使用して１単位のセグメント（分節）１０Ａ、１０Ｂ、１０Ｃ及び１０Ｄを順次上方へ多数段積み上げ所望の高さに構築して行く方法により行われる。このため、１単位のセグメントのコンクリート打設が終了した後、次段のセグメントを構築するに際し、型抜きした後の型枠装置の堰板表面を清掃したり脱型を容易にするために剥離剤を塗布する必要があり、従来これらの作業は、型抜きした型枠装置１２をクレーン１３により構造体（ケーソン）の外に一旦撤去して行われていた（図２参照）。
【０００３】
しかしながら、以上述べたように従来工法は、１単位のコンクリートセグメントの打設を完了した都度、型枠を構造体の外に移動して清掃及び剥離剤の塗布作業を行っているため、全体的に作業者数や工程数が多くなり、かなりの労力や製作時数を要するものであった。また、特に、内型枠装置の撤去によってできる空洞に作業者が墜落する危険性や内型枠装置を懸吊して移動するクレーン作業が多くなるため安全性の面で好ましくないという欠点があった。そこで、外側面に側壁堰板が架設された少なくとも二対の側壁型枠パネルを互いに向き合わせて箱状に形成されたケーソン用型枠の内型枠装置において、ケーソンの空洞の内壁に取付けられる受金具と、ケーソン用型枠の内型枠装置の側壁型枠パネルの下端に取付けられると共に、前記受金具に回動可能に支承される係止金具とからなる係合治具を設け、側壁型枠パネルを内方に傾動可能にした内型枠装置により型枠装置を構造体（ケーソン）外に撤去することなく構造体（ケーソン）上でパネル堰板表面の清掃及び剥離剤の塗布作業を行うことができるものが提案されている（特許文献１参照。）。
【０００４】
【特許文献１】特許第２８１４３６３号公報
【発明の開示】
【発明が解決しようとする課題】
【０００５】
本発明もまた、上記問題点に鑑み、特に、内型枠装置の型抜き及び型枠堰板表面の清掃や剥離剤の塗布作業を容易且つ迅速に成し得て、ケーソン構築作業の労力及び製作時数を削減することができ、しかも更に高い安全性を以てケーソンの施工を行うことが出来るケーソン用型枠の内型枠装置を提供することを目的とするものである。
【課題を解決するための手段】
【０００６】
このため本発明では、外側面に側壁堰板が架設された少なくとも二対の側壁型枠パネルを互いに向き合わせて箱状に形成され、ケーソンの空洞の内壁に取付けられる受金具と、ケーソン用型枠の内型枠装置の側壁型枠パネルの下端に取付けられると共に、前記受金具に回動可能に支承される係止金具とから成る係合治具を設け、前記側壁型枠パネルを内方に傾動可能に設けたケーソン用型枠の内型枠装置において、前記側壁型枠を前記受金具よりも下方で保持し、且つ足場となる支持ブラケットを井桁状に配したことを第１の特徴とする。また、支持ブラケットが縦横伸縮自在に設けられていることを第２の特徴とする。
【発明の効果】
【０００７】
本発明は以下の優れた効果がある。
（１）内型枠装置を構造体（ケーソン）の外に移動させることなく、内型枠装置の型抜き及び型枠表面の清掃や剥離剤の塗布作業を行うことができる。
（２）内型枠装置の撤去によってできる空洞へ作業者が墜落する危険がない。
（３）内型枠装置を懸吊して移動するクレーン作業を減らすことができるので、ケーソン構築作業全般の労力及び製作時数を削減することができ、しかも安全性が向上する。
（４）支持ブラケットが縦横伸縮自在に設けられているので、構築すべき空洞の大きさに自由に対応できる。
【発明を実施するための最良の形態】
【０００８】
以下、本発明の実施の形態を図面に示す実施例に基づいて説明する。図１は構築されたケーソンの斜視図、図２は従来工法を示す説明図、図３は本発明に係る内型枠装置を示す斜視図、図４は本発明工法を示す縦断面図、図５は係合治具を示す拡大正面図、図６は係合治具を示す拡大側面図である。
【０００９】
まず、図３を参照してケーソン用型枠の内型枠装置１の主たる構成について述べる。内型枠装置１は、支柱３の下端部を残して外側面に複数の側壁堰板２が架設された二対の側壁型枠パネル４を互いに向き合わせて箱状に形成される。無論、これら側壁型枠パネル４に囲まれた型枠内部には打設したコンクリートの重さによって型枠が変形しないようにコンクリートが硬化するまで各側壁型枠パネル４を支持するための梁台（作業台）８が空洞１１内に配置された井桁状の支持ブラケット９上に固定又は着脱自在に立設される。
【００１０】
本発明に係るケーソンの施工においても、基本的には上記した内型枠装置１を用いるが、これに側壁型枠パネル４を内方に傾動させるための係合治具７（図５及び６参照）を付加することによって本発明の目的を達成する。通常、既に硬化したコンクリートセグメントＷの空洞１１の内壁５には、次のセグメントの施工に際し、支持ブラケット９を係止するための受金具６を取付ける必要があるが、本発明ではこの受金具６の上面平坦部に凹溝６ａを設け、ブラケット９の端部９ａにその下端１４ｂを連結されたスイングアーム１４の横杆１４ａを係合させて懸吊固定される。
【００１１】
井桁状の支持ブラケット９は、その端部９ａを根太９ｂを介して四方に伸縮自在に設けられ、空洞１１の内径に応じて長さを調節した後、根太締付バンド９ｃにて固定される。また、支持ブラケット９上に立設される主柱８ａと根太８ｂとから骨組みをなす梁台８もこれに対応して根太８ｂを伸縮させて根太締付バンド８ｃによって固定する。すなわち、支持ブラケット９、梁台８共に根太９ｂ及び根太８ｂの長さを自由に変えることで縦横に伸縮自在に設けられ、構築するケーソンの空洞の大きさに自在に対応することができるようにされている。
【００１２】
側壁型枠パネル４の下端には係止金具７を取付けておき、この係止金具７の横棒（嵌合ピン）７ａをブラケット９の端部９ａに設けられた受金具１５の凹所に嵌合させ係止するようにした。したがって、係止金具７の横杆（嵌合ピン）７ａは受金具１５の凹所に、横杆（嵌合ピン）７ａの軸線回りに回動可能となり、側壁型枠パネル４を傾動可能に支承することができる。
【００１３】
コンクリートを打設し、このコンクリートが硬化したならば、この横棒（嵌合ピン）７ａを支点に各側壁型枠パネル４を内方に傾動させる。これによって新たに打設したコンクリートＮＷの内壁面に密着していたパネル堰板２を剥離することができる。そして、型抜きされた内型枠装置１は、そのまま傾動させた状態でモップ等を使用してパネル堰板２表面の清掃を行った後、剥離剤を塗布し、次段のコンクリートセグメントを打設するために上方へ移動して据付け、側壁型枠パネル４を鉛直状態に復帰させて使用する。尚、本実施例においては、パネルの傾動具合を係止金具の取付け角度や位置関係を調節することによって行われているが、油圧シリンダーやターンバックル方式等の伸縮手段を講じて傾動させるようにしたものでもよい。
【図面の簡単な説明】
【００１４】
【図１】図１は構築されたケーソンの斜視図である。
【図２】従来工法を示す説明図である。
【図３】本発明に係る内型枠装置を示す斜視図である。
【図４】本発明工法を示す縦断面図である。
【図５】係合治具を示す拡大正面図である。
【図６】係合治具を示す拡大側面図である。
【符号の説明】
【００１５】
１      内型枠装置
２      側壁堰板
３      支柱
４      側壁型枠パネル
５      空洞内壁
６      受金具
６ａ    凹溝
７      係合金具
７ａ    係止金具の横杆
８      梁台（作業台）
８ａ    主柱
８ｂ    根太
８ｃ    根太締付バンド
９      支持ブラケット
９ａ    ブラケット端部
９ｂ    根太
９ｃ    根太締付バンド
１０    ケーソン
１１    空洞
１２    型枠装置
１３    クレーン
１４    スイングアーム
１４ａ  スイングアームの横杆
１４ｂ  スイングアームの下端
１５    受金具
【図１】
2006241904.tif 000003
【図２】
2006241904.tif 000004
【図３】
2006241904.tif 000005
【図４】
2006241904.tif 000006
【図５】
2006241904.tif 000007
【図６】
2006241904.tif 000008